(57)【要約】【課題】携帯無線機の薄型化を図りながらも、回路基板と逆Ｆアンテナの放射素子との間隔を広げて広帯域化を図り、且つ新たに部品を追加することなく金属板上でも良好な受信感度を得ることができる携帯無線機を提供する。【解決手段】携帯無線機１において、アンテナ素子６の延設方向におけるグランドパターン７の端部７ａからアンテナ素子６の開放端６ａまで、筐体２の厚み方向においてアンテナ素子６と離隔するようにグランド板金８を設けた。これにより、携帯無線機１の筐体２の厚みを最大限有効に活用してアンテナ素子６とグランドとの間隔を広げることが可能となり、回路基板３のグランドパターン７を利用する場合と比べて広帯域化が図れる。また、グランド板金８とグランドパターン７をスイッチ１８とリアクタンス素子１７を介して接続することで、スイッチ１８にてグランド板金８の接続を状況に応じて切り替え、地線として動作させることができ、金属板上でも良好な受信感度を得ることができる。【選択図】図１
2010171954.tif 000002
【特許請求の範囲】
【請求項１】
筐体と、
前記筐体内に設けられた回路基板と、
前記回路基板に構成されたグランドパターンと、
前記回路基板の一方の端部に設けられた給電部と、
前記回路基板の一方の端部に設けられた短絡部と、
前記給電部および前記短絡部を介して、前記回路基板と接続されたアンテナ素子と、
前記グランドパターンと接続された導電性部材と、を備え、
前記アンテナ素子は前記給電部および前記短絡部から離隔する方向に延設されており、
前記回路基板において前記給電部および前記短絡部に対応する位置に前記グランドパターンを構成し、
前記アンテナ素子の延設方向における前記グランドパターンの端部から前記アンテナ素子の開放端まで、前記筐体の厚み方向において前記アンテナ素子と離隔するように前記導電性部材を配置した携帯無線機。
【請求項２】
前記給電部および前記短絡部は、前記回路基板の一方の端部から前記給電部、前記短絡部の順に、または前記短絡部、前記給電部の順に前記グランドパターンに対応させて配置されている請求項１に記載の携帯無線機。
【請求項３】
前記導電性部材は前記グランドパターンと接続される第１接続部と第２接続部を介して接続された請求項１または請求項２に記載の携帯無線機。
【請求項４】
前記第１接続部は給電部近傍に設ける請求項３に記載の携帯無線機。
【請求項５】
前記第１接続部はリアクタンス素子を介して前記グランドパターンに接続された請求項４に記載の携帯無線機。
【請求項６】
前記第２接続部は前記リアクタンス素子を介して前記グランドパターンに接続された請求項３に記載の携帯無線機。
【請求項７】
前記第１接続部と前記第２接続部は前記リアクタンス素子を介して前記グランドパターンに接続された請求項５または請求項６に記載の携帯無線機。
【請求項８】
物体近接検知装置と接続されたスイッチを備え、
前記第２接続部は前記スイッチを介して前記グランドパターンに接続された請求項４に記載の携帯無線機。
【請求項９】
前記第１接続部は前記スイッチを介して前記グランドパターンに接続された請求項８に記載の携帯無線機。
【請求項１０】
前記第２接続部は前記スイッチと前記リアクタンス素子を介して前記グランドパターンに接続された請求項８に記載の携帯無線機。
【請求項１１】
前記第１接続部は前記スイッチと前記リアクタンス素子を介して前記グランドパターンに接続された請求項９に記載の携帯無線機。
【請求項１２】
前記第１接続部は前記リアクタンス素子を介して前記グランドパターンに接続された請求項８に記載の携帯無線機。
【請求項１３】
前記第２接続部は前記リアクタンス素子を介して前記グランドパターンに接続された請求項９に記載の携帯無線機。
【請求項１４】
前記導電性部材の電気長は前記第１接続部を含め所望周波数の略λ／４にて構成された請求項８に記載の携帯無線機。
【請求項１５】
前記導電性部材の電気長は前記第１接続部と前記リアクタンス素子を含め所望周波数の略λ／４にて構成された請求項１２に記載の携帯無線機。
【請求項１６】
前記第１接続部と前記第２接続部は各々前記スイッチを介して前記グランドパターンに接続された請求項８または請求項９に記載の携帯無線機。
【請求項１７】
前記第１接続部と前記第２接続部は各々前記スイッチと前記リアクタンス素子を介して前記グランドパターンに接続された請求項１６に記載の携帯無線機。
【請求項１８】
前記導電性部材の電気長は前記スイッチと前記リアクタンス素子を含め所望周波数の略λ／４にて構成された請求項１７に記載の携帯無線機。
【請求項１９】
前記導電性部材は３箇所以上の接続部を備え、各々前記スイッチと前記リアクタンス素子を介して前記グランドパターンに接続された請求項１または請求項２に記載の携帯無線機。
【発明の詳細な説明】
【技術分野】
【０００１】
本発明は、携帯電話等の携帯無線機に関し、特に逆Ｆアンテナを用いた携帯無線機に関する。
【背景技術】
【０００２】
携帯電話等の携帯無線機に用いられる逆Ｆアンテナとして、例えば特許文献１や特許文献２で開示されたものがある。特許文献１（発明の名称：板状逆Ｆアンテナおよび無線通信装置）には、逆Ｆアンテナを実装する回路基板のグランドパターンの形状を、逆Ｆアンテナの設置位置に当たる領域を除いた形状とする点が開示されている。特許文献２（発明の名称：アンテナ装置および無線装置）には、２つの放射素子に対する給電を切り替え自在とし、給電を行わない放射素子を接地し、接地した放射素子を、給電した放射素子の地導体とする構成が開示されている。
【０００３】
また、携帯無線機を金属板上に寝かせて置いた状態で受信感度を良好に保つために、例えば特許文献３で開示されたものがある。特許文献３には、鏡像効果によって逆相の高周波電流が打ち消され減少したアンテナからの放射を補うため、下筐体に補助地板を搭載し鏡像効果によって垂直な成分を形成しダイポールアンテナとする構成が開示されている。
【０００４】
図２５は、従来の逆Ｆアンテナの概略構成を示す図である。同図に示すように、逆Ｆアンテナ４０は、放射素子４１と回路基板（図示略）のグランドパターン４４が平行に配置され、給電部４２および短絡部４３がグランドパターン４４に接続された構成を採る。逆Ｆアンテナ４０では、放射素子４１とグランドパターン４４との間隔が狭いほど使用可能な周波数帯域が狭くなり、広いと広帯域となる。
【０００５】
図２６は、逆Ｆアンテナ４０を内蔵した携帯無線機の内部構造を概略的に示した図である。この場合、逆Ｆアンテナ４０は放射素子４１が筐体５４の幅方向に平行となる向きに配置されているため、図２６では短絡部４３のみが見えている。また、放射素子４１については、延設方向の端面（即ち開放端の面）４１ａが見えている。
【０００６】
図２６において、筐体５４内には、逆Ｆアンテナ４０を実装した回路基板（メイン基板）５０とキー５１との間にメッキシャーシ（またはグランドシールド）５２が配置されている。メッキシャーシ（またはグランドシールド）５２は、回路基板５０にキー５１を設ける為とノイズ対策の為に設けられる。前述したグランドパターン４４は、回路基板５０の逆Ｆアンテナ４０側の面に設けられている。筐体５４内にはメイン基板である回路基板５０の他にサブ基板である回路基板５３も設けられている。
【０００７】
図２７は筐体５４を金属板５５上に寝かせて置いた状態を示した図である。この場合、逆Ｆアンテナ４０は板状のアンテナであり広い面積にて金属板５５と重なるため、棒状や線状のアンテナと比較してもインピーダンス特性が大きく変化し放射特性が著しく劣化する。
【先行技術文献】
【特許文献】
【０００８】
【特許文献１】特開２００３−０９２５１０号公報
【特許文献２】特開２００６−２４５８６８号公報
【特許文献３】特開２００７−３２９９６２号公報
【発明の概要】
【発明が解決しようとする課題】
【０００９】
しかしながら、携帯無線機の薄型化が要望される中にあってメッキシャーシ（またはグランドシールド）５２を設けることで、回路基板５０と逆Ｆアンテナ４０の放射素子４１の間隔を狭くせざるを得なくなり、使用可能な周波数帯域が狭くなるという問題がある。
【００１０】
また、金属板上に置いたときのために新たな部品（補助地板）を追加することはコスト増加と、筐体の肥大化につながるという問題がある。
【００１１】
本発明は、係る事情に鑑みてなされたものであり、携帯無線機の薄型化を図りながらも、回路基板と逆Ｆアンテナの放射素子との間隔を広げて広帯域化を図り、且つ新たに部品を追加することなく金属板上でも良好な受信感度を得ることができる携帯無線機を提供することを目的とする。
【課題を解決するための手段】
【００１２】
本発明の携帯無線機は、筐体と、前記筐体内に設けられた回路基板と、前記回路基板に構成されたグランドパターンと、前記回路基板の一方の端部に設けられた給電部と、前記回路基板の一方の端部に設けられた短絡部と、前記給電部および前記短絡部を介して、前記回路基板と接続されたアンテナ素子と、前記グランドパターンと接続された導電性部材と、を備え、前記アンテナ素子は前記給電部および前記短絡部から離隔する方向に延設されており、前記回路基板において前記給電部および前記短絡部に対応する位置に前記グランドパターンを構成し、前記アンテナ素子の延設方向における前記グランドパターンの端部から前記アンテナ素子の開放端まで、前記筐体の厚み方向において前記アンテナ素子と離隔するように前記導電性部材を配置した。
【００１３】
上記構成によれば、アンテナ素子の延設方向におけるグランドパターンの端部からアンテナ素子の開放端までに対応するグランドを、回路基板のグランドパターンに代って導電性部材とし、この導電性部材を筐体の厚み方向においてアンテナ素子と離隔するように配置するようにしたので、携帯無線機の筐体の厚みを最大限有効に活用してアンテナ素子とグランドとの間隔を広げることができる。したがって、携帯無線機の薄型化を図りながらも、回路基板と逆Ｆアンテナの放射素子との間隔を広げて広帯域化を図ることができる。
【００１４】
上記構成において、前記給電部および前記短絡部は、前記回路基板の一方の端部から前記給電部、前記短絡部の順に、または前記短絡部、前記給電部の順に前記グランドパターンに対応させて配置した。
【００１５】
上記構成によれば、給電部と短絡部の配置順に関係なく同一の効果が得られるので、回路基板における回路設計の自由度を上げることができる。
【００１６】
上記構成において、前記導電性部材は前記グランドパターンと接続される第１接続部と第２接続部を介して配置した。
【００１７】
上記構成によれば、バネやピンを用いて容易に接続部を構成することができる。
【００１８】
上記構成において、第１接続部は給電部近傍に配置した。
【００１９】
上記構成によれば、給電部に多く分布する高周波電流を導電性部材に積極的に分布させることができる。
【００２０】
上記構成において、前記第１接続部はリアクタンス素子を介して前記グランドパターンに接続した。
【００２１】
上記構成によれば、導電性部材のインピーダンス特性をリアクタンス素子により調整することができる。
【００２２】
上記構成において、前記第２接続部は前記リアクタンス素子を介して前記グランドパターンに接続した。
【００２３】
上記構成によれば、導電性部材のインピーダンス特性をリアクタンス素子により調整することができる。
【００２４】
上記構成において、前記第１接続部と前記第２接続部はリアクタンス素子を介して前記グランドパターンに接続した。
【００２５】
上記構成によれば、導電性部材のインピーダンス特性をリアクタンス素子により調整することができる。
【００２６】
上記構成において、物体近接検知装置と接続されたスイッチを備え、前記第２接続部は前記スイッチを介して前記グランドパターンに接続した。
【００２７】
上記構成によれば、金属導体や高誘電体などが近接しアンテナのインピーダンス特性が著しく変化した場合、ＳＷＲ計のような物体近接検知装置で識別し、スイッチで切替えて通常グランドパターンと接続している第２接続部をグランドパターンと非接続にして導電性部材を地線として動作させ、積極的に導電性部材へ高周波電流を流すことでアンテナのインピーダンス特性を改善することができる。
【００２８】
上記構成において、前記第１接続部は前記スイッチを介して前記グランドパターンに接続した。
【００２９】
上記構成によれば、金属導体や高誘電体などが近接しアンテナのインピーダンス特性が著しく変化した場合、ＳＷＲ計のような物体近接検知装置で識別し、スイッチで切替えて通常グランドパターンと接続している第１接続部をグランドパターンと非接続にして導電性部材を対向地線として動作させ、積極的に導電性部材へ高周波電流を流すことでアンテナのインピーダンス特性を改善することができる。
【００３０】
上記構成において、前記第２接続部は前記スイッチと前記リアクタンス素子を介して前記グランドパターンに接続した。
【００３１】
上記構成によれば、地線として動作させた導電性部材のインピーダンス特性をリアクタンス素子にて調整することができる。
【００３２】
上記構成において、前記第１接続部は前記スイッチと前記リアクタンス素子を介して前記グランドパターンに接続した。
【００３３】
上記構成によれば、地線として動作させた導電性部材のインピーダンス特性をリアクタンス素子にて調整することができる。
【００３４】
上記構成において、前記第１接続部は前記リアクタンス素子を介して前記グランドパターンに接続した。
【００３５】
上記構成によれば、地線として動作させた導電性部材のインピーダンス特性をリアクタンス素子にて調整することができる。
【００３６】
上記構成において、前記第２接続部は前記リアクタンス素子を介して前記グランドパターンに接続した。
【００３７】
上記構成によれば、地線として動作させた導電性部材のインピーダンス特性をリアクタンス素子にて調整することができる。
【００３８】
上記構成において、前記導電性部材の電気長は前記第１接続部を含め所望周波数の略λ／４にて構成した。
【００３９】
上記構成によれば、地線として最適な電気長に構成することができ、最良なインピーダンス特性を確保することができる。
【００４０】
上記構成において、前記導電性部材の電気長は前記第１接続部と前記リアクタンス素子を含め所望周波数の略λ／４にて構成した。
【００４１】
上記構成によれば、地線として最適な電気長に構成することができ、最良なインピーダンス特性を確保すると共に、リアクタンス素子にてインピーダンス特性を調整することができる。
【００４２】
上記構成において、前記第１接続部と前記第２接続部は各々前記スイッチを介して前記グランドパターンに接続した。
【００４３】
上記構成によれば、金属導体や高誘電体などが近接しアンテナのインピーダンス特性が著しく変化した場合、物体近接検知装置で識別し、第２接続部をスイッチで切替えてグランドパターン非接続にして、第１接続部は状況に応じてスイッチでインピーダンス特性を切り替えることができる。
【００４４】
上記構成において、前記第１接続部と前記第２接続部は各々前記スイッチと前記リアクタンス素子を介して前記グランドパターンに接続した。
【００４５】
上記構成によれば、金属導体や高誘電体などが近接しアンテナのインピーダンス特性が著しく変化した場合、物体近接検知装置で識別し、第２接続部をスイッチで切替えてグランドパターン非接続にする際にスイッチの通過特性を含め非接続となるようにリアクタンス素子を用いて調整して、第１接続部は状況に応じてスイッチでインピーダンス特性を切り替える際に、リアクタンス素子を用いて調整することができる。
【００４６】
上記構成において、前記導電性部材の電気長は前記スイッチと前記リアクタンス素子を含め所望周波数の略λ／４にて構成した。
【００４７】
上記構成によれば、地線として最適な電気長に構成することができ、最良なインピーダンス特性を確保することができる。
【００４８】
上記構成において、前記導電性部材は３箇所以上の接続部を備え、各々前記スイッチと前記リアクタンス素子を介して前記グランドパターンに接続した。
【００４９】
上記構成によれば、所望周波数が低い場合電気長が長くなった場合でも、金属導体や高誘電体などが近接していない通常状態においては導電性部材とグランドパターンと電位差をなくすことができる。また、金属導体や高誘電体などが近接していない状態においては各接続部をスイッチで切替え最良なインピーダンス特性を確保することができる。
【発明の効果】
【００５０】
本発明は、アンテナ素子の延設方向におけるグランドパターンの端部からアンテナ素子の開放端までに対応するグランドを、回路基板のグランドパターンに代って導電性部材とし、この導電性部材を筐体の厚み方向においてアンテナ素子と離隔するように配置するようにしたので、携帯無線機の筐体の厚みを最大限有効に活用してアンテナ素子とグランドとの間隔を広げることができ、回路基板のグランドパターンを利用する場合と比べて広帯域化が図れる。
【図面の簡単な説明】
【００５１】
【図１】本発明の実施の形態１に係る携帯無線機の構成を説明するための断面図であり、（ａ）は長手方向と平行に切断した断面図、（ｂ）は（ａ）のＡ−Ａ’線断面図、（ｃ）は（ａ）のＢ−Ｂ’線断面図
【図２】図１の（ｃ）における回路基板と逆Ｆアンテナとグランド板金を拡大した図
【図３】図１の（ａ）における回路基板の上端部分を拡大し、更にグランドパターンのアンテナ素子に対応する部分並びに給電部および短絡部を省いた図
【図４】図１の（ａ）における回路基板の上端部分を拡大した図
【図５】図１の携帯無線機にストラップホールを設けた概略構成を示す断面図
【図６】本発明の実施の形態３に係る携帯無線機の構成を説明するための斜視図
【図７】本発明の実施の形態３に係る携帯無線機他の構成を説明するための斜視図
【図８】本発明の実施の形態４に係る携帯無線機の構成を説明するための斜視図
【図９】本発明の実施の形態５に係る携帯無線機の構成を説明するための斜視図
【図１０】本発明の実施の形態６に係る携帯無線機の構成を説明するための斜視図
【図１１】本発明の実施の形態７に係る携帯無線機の構成を説明するための斜視図
【図１２】本発明の実施の形態７に係る携帯無線機の構成を説明するための断面図
【図１３】本発明の実施の形態８に係る携帯無線機の構成を説明するための斜視図
【図１４】本発明の実施の形態９に係る携帯無線機の構成を説明するための斜視図
【図１５】本発明の実施の形態１０に係る携帯無線機の構成を説明するための斜視図
【図１６】本発明の実施の形態１１に係る携帯無線機の構成を説明するための斜視図
【図１７】本発明の実施の形態１２に係る携帯無線機の構成を説明するための斜視図
【図１８】本発明の実施の形態１３に係る携帯無線機の構成を説明するための斜視図
【図１９】本発明の実施の形態１４に係る携帯無線機の構成を説明するための斜視図
【図２０】本発明の実施の形態１５に係る携帯無線機の構成を説明するための斜視図
【図２１】本発明の実施の形態１６に係る携帯無線機の構成を説明するための斜視図
【図２２】本発明の実施の形態１７に係る携帯無線機の構成を説明するための斜視図
【図２３】本発明の実施の形態１８に係る携帯無線機の構成を説明するための斜視図
【図２４】本発明の実施の形態１８に係る携帯無線機の構成を説明するための斜視図
【図２５】逆Ｆアンテナの概略構成を示す図
【図２６】図２５の逆Ｆアンテナを内蔵した携帯無線機の内部構造を概略的に示した図
【図２７】携帯無線機を金属板上に置いた状態を概略的に示した図
【発明を実施するための形態】
【００５２】
以下、本発明を実施するための好適な実施の形態について、図面を参照して詳細に説明する。
【００５３】
（実施の形態１）
図１は、本発明の実施の形態１に係る携帯無線機の概略構成を示す断面図であり、（ａ）は長手方向と平行に切断した断面図、（ｂ）は（ａ）のＡ−Ａ’線断面図、（ｃ）は（ａ）のＢ−Ｂ’線断面図である。本発明は、１つの筐体で構成されるストレート型、上筐体と下筐体の２つの筐体からなる折り畳み型およびスライド型のいずれの型式の携帯無線機にも適用することができる。本実施の形態はストレート型の携帯無線機とした。
【００５４】
図１において、本実施の形態の携帯無線機１は、長方形の箱形に形成された筐体２と、筐体２内に略隙間無く収容できる大きさに形成された回路基板３と、回路基板３の幅方向の一方の端部（図１の（ａ）における上方の端部）に設けられた給電部４と、回路基板３の幅方向の一方の端部に、給電部４から僅かに離間させて設けられた短絡部５と、給電部４および短絡部５を介して回路基板３と接続されたアンテナ素子６と、回路基板３上に形成されたグランドパターン７と、グランドパターン７と接続されたグランド板金（導電性部材）８とを備えている。給電部４と短絡部５とアンテナ素子６で逆Ｆアンテナ１０が構成される。
【００５５】
給電部４と短絡部５は、アンテナ電流の強い部分がなるべく筐体２の幅方向に得られるようにするために回路基板３の角部分に配置される。アンテナ素子６は、筐体２の幅方向即ち給電部４および短絡部５から離隔する方向に延設されている。グランドパターン７は、回路基板３における逆Ｆアンテナ１０が配置される部分のうち、給電部４および短絡部５に対応する部分と、回路基板３における逆Ｆアンテナ１０が配置される部分以外の部分に形成されている。
【００５６】
グランド板金８は、アンテナ素子６の延設方向におけるグランドパターン７の端部７ａからアンテナ素子６の開放端６ａまで、筐体２の厚み方向においてアンテナ素子６と離隔するように配置されている。グランド板金８は、アンテナ素子６の延設方向におけるグランドパターン７の端部７ａからアンテナ素子６の開放端までに対応するグランドを、回路基板３のグランドパターン７に代ってとるためのものである。このグランド板金８によりアンテナ素子６のグランドとの間の距離を長くとることができ、回路基板３のグランドパターン７を利用する場合と比べて広帯域化が図れる。
【００５７】
図２は、図１の（ｃ）における回路基板３と逆Ｆアンテナ１０とグランド板金８を拡大した図である。同図に示すように、グランド板金８は、２つの板金８ａ、８ｂからなり、板金８ａは回路基板３に対して垂直方向に回路基板３のグランドパターン７の端部７ａに接続され、板金８ｂは部分８ａと直角になる向きで部分８ａの先端部分に接続される。板金８ａの長さは、板金８ｂの厚みを加算した長さが回路基板３から筐体２の内面までの長さと略同一になる長さとなる。また、板金８ｂの長さは、回路基板３のグランドパターン７の端部７ａからアンテナ素子６の開放端６ａに達する長さとなる。なお、グランド板金８は必ずしも２つの板金８ａ、８ｂで構成する必要はなく、一体形成するようにしてよい。
【００５８】
図３は、図１の（ａ）における回路基板３の上端部分を拡大し、更にグランドパターン７のアンテナ素子６に対応する部分並びに給電部４および短絡部５を省いた図である。また、図４は、図１の（ａ）における回路基板３の上端部分を拡大した図である。
【００５９】
逆Ｆアンテナ１０の給電点と短絡点には電流が集中するため、給電部４および短絡部５を堅牢な回路基板３で受けることで回路基板３の幅方向に電流を流し、アンテナ素子６の開放端６ａをグランド板金８で受けることで、高インピーダンスであるアンテナ素子６の開放端６ａを回路基板３のグランドパターン７から距離的に離すことができる。
【００６０】
以上のように本実施の形態の携帯無線機１によれば、アンテナ素子６の延設方向におけるグランドパターン７の端部７ａからアンテナ素子６の開放端６ａまで、筐体２の厚み方向においてアンテナ素子６と離隔するようにグランド板金８を設けたので、携帯無線機１の筐体２の厚みを最大限有効に活用してアンテナ素子６とグランドとの間隔を広げることが可能となり、回路基板３のグランドパターン７を利用する場合と比べて広帯域化が図れる。
【００６１】
（実施の形態２）
上記実施の形態１では、給電部４および短絡部５を回路基板３の長手方向の一方の端部３ａから長手方向の他方の端部３ｂ（図１または図３または図４参照）に向けて、短絡部５、給電部４の順に配置したが、逆順で配置しても効果に変わりはなく、回路基板３における回路設計の自由度を上げることができる。
【００６２】
また、上記実施の形態１において、逆Ｆアンテナ１０のアンテナ素子６の先端部分に対してグランド板金８を設けることで、グランド板金８の後方にスペースが得られる。このスペースを様々な用途に利用することができる。図５は、当該スペースにストラップホール１５を設けた応用例の概略構成を示す断面図である。
【００６３】
（実施の形態３）
図６は、本発明の実施の形態３に係る携帯無線機の構成を説明するための斜視図である。グランド板金８の構成を示すため、グランド板金８に特化した斜視である。グランド板金８は接続部１６ａと接続部１６ｂの２箇所でグランドパターン７と接続されている。実際端末に搭載する場合、グランドパターン７にバネを実装して、グランド板金８と接点を構成する。バネを増やすことでコスト増加につながることから、接点はなるべく少ないほうが望ましい。また、グランド板金８とグランドパターン７は電位差がなく同じグランドとして動作することが必要であるため、接続部はグランド板金の角２箇所に設けることが望ましい。図６では回路基板３の幅方向に接続部を並べて記載しているが、図７に示すように回路基板３の長さ方向に接続部を並べてもよい。
【００６４】
本実施の形態に係る携帯無線機の構成を図６にて説明する。接続部１６ａ（請求項の第１接続部に相当）と接続部１６ｂ（請求項の第２接続部に相当）のうち、接続部１６ａはかならず給電部４に近接して配置されている。接続部１６ａはグランドパターン７に流れる高周波電流が多く流れる箇所に配置するのが望ましく、給電部４に近ければ近いほど良く、少なくとも回路基板３の幅方向（短手方向）の中点よりも給電点側に配置すればよい。
【００６５】
（実施の形態４）
図８は本発明の実施の形態４に係る携帯無線機の構成を説明するための斜視図である。接続部１６ａとグランドパターン７の間にリアクタンス素子１７が配置されている。実際、グランド板金８は組み立て効率を踏まえ携帯無線機に搭載する形状にした場合所望のインピーダンス特性からずれてしまう可能性がある。そのため、リアクタンス素子１７を介してグランドパターン７と接続することで、インピーダンス特性のずれを補正でき、最適なインピーダンス特性に調整することができる。
【００６６】
（実施の形態５）
図９は本発明の実施の形態５に係る携帯無線機の構成を説明するための斜視図である。接続部１６ｂとグランドパターン７の間にリアクタンス素子１７が配置されている。この構成においてもインピーダンス特性のずれを補正でき、最適なインピーダンス特性に調整することができる。
【００６７】
（実施の形態６）
図１０は本発明の実施の形態６に係る携帯無線機の構成を説明するための斜視図である。接続部１６ａとグランドパターン７、接続部１６ｂとグランドパターン７各々の間にリアクタンス素子１７を配置する。この構成においてもインピーダンス特性のずれを補正でき、最適なインピーダンス特性に調整することができる。
【００６８】
（実施の形態７）
図１１は本発明の実施の形態７に係る携帯無線機の構成を説明するための斜視図である。接続部１６ｂはスイッチ１８を介してグランドパターン７に接続されている。ここではスイッチの一例としてＳＰＤＴ（Single Pole Double Throw）スイッチを用いて説明する。スイッチ１８には入力端子１９と出力端子２０ａと出力端子２０ｂと制御端子２１がある。出力端子２０ａはグランドパターン７と接続、出力端子２０ｂはグランドパターン７と非接続されており、通常スイッチ１８は入力端子１９と出力端子２０ａを接続している。一方で金属板が近接した場合、ＳＷＲ計などの検知装置２２にてＳＷＲが高くなったときを識別し、制御信号を制御端子２１に伝達することで、スイッチ１８の出力端子２０ａと出力端子２０ｂで切替えて、入力端子１９と出力端子２０ｂを接続する。従って、金属板が近接した場合、接続部１６ｂはグランドパターン７と非接続になる。これにより、グランド板金８は接続部１６ａのみでグランドパターン７と接続され地線として動作する。図１２に示すように、金属板２３上に筐体２を置いた際に逆Fアンテナ１０は金属板２３と近接するが、グランド板金８は金属板２３と離れた位置にあるため、グランド板金８を地線として動作させ積極的に高周波電流を流すことで良好な放射特性を得ることができる。
【００６９】
なお、スイッチ１８はＳＰＤＴに限定するものではなく、入力端子１９を有し、出力端子２０を複数有している高周波用スイッチであればこの限りではない。
【００７０】
なお、検知装置２２はＳＷＲ計に限定するものではなく、金属導体や高誘電体などアンテナのインピーダンス特性を著しく変化させる物体を検知するものであればこの限りではない。
【００７１】
（実施の形態８）
図１３は本発明の実施の形態８に係る携帯無線機の構成を説明するための斜視図である。接続部１６ａはスイッチ１８を介してグランドパターン７に接続する。出力端子２０ａはグランドパターン７と接続、出力端子２０ｂはグランドパターン７と非接続されており、通常スイッチ１８は入力端子１９と出力端子２０ａを接続している。一方で金属板が近接した場合、ＳＷＲ計などの検知装置２２にてＳＷＲが高くなったときを識別し、制御信号を制御端子２１に伝達することで、スイッチ１８の出力端子２０ａと出力端子２０ｂで切替えて、入力端子１９と出力端子２０ｂを接続する。従って、金属板が近接した場合、接続部１６ａはグランドパターン７と非接続になる。これにより、グランド板金８は接続部１６ｂのみでグランドパターンと接続され対向地線として動作させ積極的に高周波電流を流すことで良好な放射特性を得ることができる。
【００７２】
なお、検知装置２２はＳＷＲ計に限定するものではなく、金属導体や高誘電体などアンテナのインピーダンス特性を著しく変化させる物体を検知するものであればこの限りではない。
【００７３】
（実施の形態９）
図１４は本発明の実施の形態９に係る携帯無線機の構成を説明するための斜視図である。接続部１６ｂはスイッチ１８とリアクタンス素子１７を介してグランドパターン７に接続されている。出力端子２０ａと出力端子２０ｂは各々異なるリアクタンス素子１７でグランドパターン７と接続されている。スイッチ１８は固有のインピーダンス特性を持っており、実際スイッチ１８を介しグランドパターン７に接続した場合、低いインピーダンスで接続できない。出力端子２０ａはグランドパターンと低いインピーダンスで接続、出力端子２０ｂはグランドパターンと高いインピーダンスで非接続としたい。そのため、入力端子１９からグランドパターン７の経路のインピーダンスを調整するため、出力端子２０ａと出力端子２０ｂに各々異なるリアクタンス素子１７を装荷する。これにより、スイッチ１８を介して接続しても接続、非接続の状態を確保でき、状況に応じて切替ることができる。
【００７４】
（実施の形態１０）
図１５は本発明の実施の形態１０に係る携帯無線機の構成を説明するための斜視図である。接続部１６ａはスイッチ１８とリアクタンス素子１７を介してグランドパターン７に接続されている。出力端子２０ａと出力端子２０ｂは各々異なるリアクタンス素子１７でグランドパターン７と接続されている。出力端子２０ａはグランドパターンと低いインピーダンスで接続、出力端子２０ｂはグランドパターンと高いインピーダンスで非接続に調整するため、出力端子２０ａと出力端子２０ｂに各々異なるリアクタンス素子１７を装荷する。これにより、スイッチ１８を介して接続しても接続、非接続の状態を確保でき、状況に応じて切替ることができる。
【００７５】
（実施の形態１１）
図１６は本発明の実施の形態１１に係る携帯無線機の構成を説明するための斜視図である。接続部１６ａはリアクタンス素子１７を介してグランドパターン７と接続する。これにより、グランド板金８の所望インピーダンス特性がずれてしまった場合でもリアクタンス素子１７により補正でき、最適なインピーダンス特性に調整することができる。
【００７６】
（実施の形態１２）
図１７は本発明の実施の形態１２に係る携帯無線機の構成を説明するための斜視図である。接続部１６ｂはリアクタンス素子１７を介してグランドパターン７と接続する。これにより、グランド板金８の所望インピーダンス特性がずれてしまった場合でもリアクタンス素子１７により補正でき、最適なインピーダンス特性に調整することができる。
【００７７】
（実施の形態１３）
図１８は本発明の実施の形態１３に係る携帯無線機の構成を説明するための斜視図である。電気長２４はグランド板金８の電気長をイメージした矢印である。グランド板金８の電気長２４を所望周波数の略λ／４の長さで構成する。これにより、地線として良好に動作することができる。一般的に所望周波数の略λ／４の長さは２ＧＨｚ帯にて約３５ｍｍである。
【００７８】
（実施の形態１４）
図１９は本発明の実施の形態１４に係る携帯無線機の構成を説明するための斜視図である。グランド板金８はリアクタンス素子１７を介してグランドパターン７と接続されている。このリアクタンス素子１７を含めグランド板金８の電気長２４を所望周波数の略λ／４の長さで構成する。万が一グランド板金の電気長２４が所望周波数の略λ／４の長さとずれてしまった場合、このリアクタンス素子１７において調整することができ、地線として良好に動作することができる。
【００７９】
（実施の形態１５）
図２０は本発明の実施の形態１５に係る携帯無線機の構成を説明するための斜視図である。接続部１６ａと接続部１６ｂの双方に各々スイッチ１８を介してグランドパターン７と接続する。これにより、接続部１６ａと接続部１６ｂの双方を切り替えることができる。
【００８０】
（実施の形態１６）
図２１は本発明の実施の形態１６に係る携帯無線機の構成を説明するための斜視図である。接続部１６ａと接続部１６ｂの双方に各々スイッチ１８とリアクタンス素子１７を介してグランドパターン７と接続する。これにより、通常時は接続部１６ａと接続部１６ｂは各々出力端子20ａと接続され、グランドパターンとリアクタンス素子１７にて調整されたインピーダンスにて接続される。また、金属板が近接し切り替える場合、各々出力端子20ｂと接続されて、接続部１６ｂはリアクタンス素子１７にて調整されたインピーダンスにて非接続、接続部１６ａはリアクタンス素子１７にて調整されたインピーダンスにて接続となる。なお、接続部１６ａは必ず接続状態であるがリアクタンス素子１７を２つ有している。これは、使用周波数においてスイッチ１８の通過特性が変化するため、各周波数用に最適なリアクタンス値が異なる。そのため、同じ接続状態ではあるが、リアクタンス素子を２つ設けている。
【００８１】
なお、リアクタンス素子１７は２つに限定するものではなく、ＳＰＤＴのほかにＳＰ３Ｔ（Single Pole Three Throw）やＳＰ４Ｔ（Single Pole Four Throw）などの出力端子を２つ以上有する高周波用スイッチの場合、出力端子の数とリアクタンス素子の数が対応していればこの限りではない。
【００８２】
（実施の形態１７）
図２２は本発明の実施の形態１７に係る携帯無線機の構成を説明するための斜視図である。接続部１６ａと接続部１６ｂの双方に各々スイッチ１８とリアクタンス素子１７を介してグランドパターン７と接続した状態で、グランド板金８の電気長２４を所望周波数の略λ／４の長さとする。これにより、地線として良好に動作することができる。また、接続部１６ａは必ず接続状態であるが電気長２４は使用周波数において異なる。そのためリアクタンス素子１７を２つ有し、使用周波数において最適な電気長２４となるようにリアクタンス素子１７を切り替えて調整する。
【００８３】
（実施の形態１８）
図２３は本発明の実施の形態１８に係る携帯無線機の構成を説明するための斜視図である。接続部を３つ有し、各々をスイッチ１８とリアクタンス素子１７を介してグランドパターン７に接続している。リアクタンス素子１７にて電気長２４を調整する手段を有しているが、一般的に所望周波数の略λ／４の長さは８００ＭＨｚ帯にて約９０ｍｍ、１．５ＧＨｚ帯にて約５０ｍｍ、１．７ＧＨｚ帯にて約４０ｍｍ、２ＧＨｚ帯にて約３５ｍｍと周波数帯域が拡大すればするほど、最適な電気長２４に差が生じ、リアクタンス素子１７のみでは調整できなくなる。そのため、図２３では接続部１６ｃと接続部１６ｂにてグランドパターン７と非接続、図２４では接続部１６ｃのみグランドパターン７と非接続にすることで電気長２４を切り替えることができる。このように、接続部１６ａ（１６ｂ，１６ｃ）とスイッチ１８、リアクタンス素子１７を多数備えることでより多くの周波数に対応することができる。
【００８４】
接続部１６ａ（１６ｂ，１６ｃ）とスイッチ１８、リアクタンス素子１７の数は３つに限定するものではなく、多数備える構造であればこの限りではない。
【００８５】
本発明は、携帯電話のみならず、通信機能を有するＰＤＡ（Personal Digital Assistant）やトランシーバ等の無線機にも勿論適用可能である。
【産業上の利用可能性】
【００８６】
本発明は、携帯無線機の薄型化を図りながらも、回路基板と逆Ｆアンテナの放射素子との間隔を広げて広帯域化を図ることができ、加えて金属製机の上に置いた状況でもグランド板金の接続条件を切替えて地線として動作させ放射特性を向上することができるといった効果を有し、携帯電話等の携帯無線機への適用が可能である。
【符号の説明】
【００８７】
１    携帯無線機
２    筐体
３    回路基板
４    給電部
５    短絡部
６    アンテナ素子
６ａ  アンテナ素子の開放端
７    グランドパターン
７ａ  グランドパターンの端部
８    グランド板金
１０  逆Ｆアンテナ
１５  ストラップホール
１６ａ，１６ｂ，１６ｃ  接続部
１７  リアクタンス素子
１８  スイッチ
１９  入力端子
２０ａ，２０ｂ  出力端子
２１  制御端子
２２  検知装置
２３  金属板
２４  電気長
【図１】
2010171954.tif 000003
【図２】
2010171954.tif 000004
【図３】
2010171954.tif 000005
【図４】
2010171954.tif 000006
【図５】
2010171954.tif 000007
【図６】
2010171954.tif 000008
【図７】
2010171954.tif 000009
【図８】
2010171954.tif 000010
【図９】
2010171954.tif 000011
【図１０】
2010171954.tif 000012
【図１１】
2010171954.tif 000013
【図１２】
2010171954.tif 000014
【図１３】
2010171954.tif 000015
【図１４】
2010171954.tif 000016
【図１５】
2010171954.tif 000017
【図１６】
2010171954.tif 000018
【図１７】
2010171954.tif 000019
【図１８】
2010171954.tif 000020
【図１９】
2010171954.tif 000021
【図２０】
2010171954.tif 000022
【図２１】
2010171954.tif 000023
【図２２】
2010171954.tif 000024
【図２３】
2010171954.tif 000025
【図２４】
2010171954.tif 000026
【図２５】
2010171954.tif 000027
【図２６】
2010171954.tif 000028
【図２７】
2010171954.tif 000029